(57)【特許請求の範囲】
【請求項１】
ベッドのマットレスやソファのクッション等の内部に納められて当該マットレス等を構成するクッション構成体であって、
複数の長尺のクッション体と、
天板と、底板と、当該天板と底板とを連結し合わせる一対の弾性連結片とを備え、この天板と底板と一対の弾性連結片との間を前記クッション体を通し抜けさせる挿通空間とした複数の当該クッション体の保持体とを有しており、
前記複数のクッション体のそれぞれが、隣り合う保持体との間に間隔を開けて配された複数の保持体の前記挿通空間に通されて当該複数の保持体によって保持されていると共に、
このように複数の保持体によって保持された各クッション体を並列状態に配して構成されていることを特徴とするクッション構成体。
【請求項２】
保持体の内側に、当該保持体の挿通空間に通されたクッション体の上側に接する上側補助保持板と、当該クッション体の下側に接する下側補助保持板とが備えられており、
両補助保持板間の間隔が弾性連結片の側に近付くに連れて次第に狭くなるように構成してあることを特徴とする請求項１記載のクッション構成体。
【請求項３】
隣合うクッション体の一方を保持している複数の保持体における隣り合う保持体間の空間の側方に、隣り合うクッション体の他方を保持している各保持体がそれぞれ配されるようにしてあることを特徴とする請求項１又は請求項２記載のクッション構成体。
【請求項４】
クッション体が、エアや水等の流体が送り込まれるゴム又はゴム状弾性を備えたプラスチックよりなるチューブとしてあることを特徴とする請求項１、請求項２又は請求項３記載のクッション構成体。
【請求項５】
クッション体が、プラスチック又はゴムよりなるフォーム材としてあることを特徴とする請求項１、請求項２又は請求項３記載のクッション構成体。
【発明の詳細な説明】
【０００１】
【発明の属する技術分野】
この発明は、ベッドのマットレスやソファのクッション等の内部に納められて当該マットレス等を構成するクッション構成体に関する。
【０００２】
【従来の技術】
ベッドのマットレスなどにクッション性を付与するクッション構成体として、金属製のスプリングを用いたものや、エアや水等の流体が溜め込まれる袋体を用いたものがある。
【０００３】
【発明が解決しようとする課題】
しかるに、金属製のスプリングを用いたものは、構成されるマットレスなどに通気性を付与しやすい反面、使用者の体重などに見合ったマットレスなどの硬さの変更を事後的になし難いものであった。
【０００４】
一方、エアなどの流体が溜め込まれる袋体を用いたものは、当該袋体に溜め込ませる流体の量を変化させることによりマットレスなどの硬さの変更を事後的になし得る反面、構成されるマットレスなどの全体に所用のクッション性を付与させるように当該マットレスの内部に前記袋体が隙間なく配されるため、当該マットレスなどに通気性を付与させ難いものであった。
【０００５】
そこでこの発明は、第一に、金属製のスプリングを用いることなく、構成されるマットレスなどの通気性を適切に確保しうるクッション構成体を提供することを主たる目的とする。
【０００６】
また、第二に、構成されるマットレスなどの硬さ、つまり、クッション性を必要に応じて調整できると共に、当該マットレスなどの通気性を適切に確保し得るクッション構成体を提供することを主たる目的とする。
【０００７】
【課題を解決するための手段】
前記目的を達成するために、請求項１記載の発明にあっては、クッション構成体が以下の（１）〜（５）の構成を備えたものとした。
（１）ベッドのマットレスやソファのクッション等の内部に納められて当該マットレス等を構成するクッション構成体であって、
（２）複数の長尺のクッション体と、
（３）天板と、底板と、当該天板と底板とを連結し合わせる一対の弾性連結片とを備え、この天板と底板と一対の弾性連結片との間を前記クッション体を通し抜けさせる挿通空間とした複数の当該クッション体の保持体とを有しており、
（４）前記複数のクッション体のそれぞれが、隣り合う保持体との間に間隔を開けて配された複数の保持体の前記挿通空間に通されて当該複数の保持体によって保持されていると共に、
（５）このように複数の保持体によって保持された各クッション体を並列状態に配して構成されている。
【０００８】
かかる構成によれば、マットレスなどに弾発性を付与させる前記クッション構成体を複数の長尺のクッション体に区分し、かつ、これらのクッション体をそれぞれ前記複数の保持体の挿通空間内に通させた状態で当該マットレスなどの内部に配設させて当該マットレスなどを構成させることから、当該挿通空間によって当該マットレスなどの通気性を高めさせることができる。
【０００９】
また、かかるマットレスなどに荷重が加えられた場合、この荷重が加えられた箇所において前記一対の弾性連結片を弾性変形させながら前記天板と底板間の間隔を狭める前記保持体に対して、この保持体の挿通空間に通されているクッション体により当該天板と底板との間の間隔を広げる向きの弾発力を作用させることができ、当該マットレスなどに適切なクッション性を付与することができる。
【００１０】
また、かかる保持体は、天板と底板とを有することから、前記のように並列された複数の長尺のクッション体によってマットレスなどを構成していながら、この天板と底板とによってマットレスなどの上下面をフラットな状態に保形させることができる。
【００１１】
また、請求項２記載の発明にあっては、請求項１記載のクッション構成体がさらに、保持体の内側に、当該保持体の挿通空間に通されたクッション体の上側に接する上側補助保持板と、当該クッション体の下側に接する下側補助保持板とが備えられており、両補助保持板間の間隔が弾性連結片の側に近付くに連れて次第に狭くなるように構成してあるものとした。
【００１２】
かかる構成によれば、前記両補助保持板間に通された前記クッション体を当該両補助保持板の端部側、つまり、前記一対の弾性連結片のいずれか一方の内面側に近付く向きに移動させ難い状態で、当該両補助保持板間において保持させることができる。
【００１３】
また、請求項３記載の発明にあっては、請求項１又は請求項２記載のクッション構成体がさらに、隣合うクッション体の一方を保持している複数の保持体における隣り合う保持体間の空間の側方に、隣り合うクッション体の他方を保持している各保持体がそれぞれ配されるようにしてあるものとした。
【００１４】
かかる構成によれば、並設される複数のクッション体を保持する複数の保持体における天板および底板間の隙間をできる限り小さくすることができ、構成されるマットレスなどの上面および下面を前記天板および底板によって適切に支持することができる。
【００１５】
また、請求項４記載の発明にあっては、請求項１、請求項２又は請求項３記載のクッション構成体におけるクッション体が、エアや水等の流体が送り込まれるゴム又はゴム状弾性を備えたプラスチックよりなるチューブとしてあるものとした。
【００１６】
かかる構成によれば、チューブに送り込む流体の特性に応じたクッション性を構成されるマットレスなどに付与することができ、また、かかる流体の量を調整することにより、構成されるマットレスなどのクッション性を必要に応じて変化させることができる。
【００１７】
また、請求項５記載の発明にあっては、請求項１、請求項２又は請求項３記載のクッション構成体におけるクッション体が、プラスチック又はゴムよりなるフォーム材としてあるものとした。
【００１８】
かかる構成によれば、フォーム材よりもたらされるクッション性を構成されるマットレスなどに付与することができる。
【００１９】
【発明の実施の形態】
以下、図１ないし図１４に基づいて、この発明の典型的な実施の形態について説明する。
【００２０】
なお、ここで図１および図２は、この実施の形態にかかるクッション構成体１の構成を理解しやすいように、当該クッション構成体１の一部を斜視の状態として示している。また、図３および図４は、かかるクッション構成体１をマットレス２などを構成する二枚の内装材２ａ、２ａの間に配した状態を示しており、また、図５および図６は、かかるクッション構成体１によって構成されたマットレス２を断面にして示しており、図６は図５に対しほぼ９０度異なる位置から当該マットレス２を縦断面にして示したものである。
【００２１】
また、図７および図８は、かかるクッション構成体１を構成する複数の保持体２０、２０…の一つを表したものであり、特に、図８は構成されるマットレス２などに荷重が作用された場合の当該保持体２０の変形状態を表している。
【００２２】
また、図９および図１０は、図１ないし図８に示されるクッション構成体１を構成する保持体２０とその構成の一部を異ならせた保持体２０を示したものであり、特に、図１０は構成されるマットレス２などに荷重が作用された場合の当該保持体２０の変形状態を表している。
【００２３】
また、図１１ないし図１４は、クッション構成体１を構成するクッション体１０をチューブ１０ｂとした場合の当該チューブ１０ｂの配列例をそれぞれ理解しやすいように、マットレス２の輪郭と当該チューブ１０ｂを主として表した状態で当該マットレス２を上方から視た状態で示している。
【００２４】
この実施の形態にかかるクッション構成体１は、ベッドのマットレスやソファのクッション等の内部に納められて当該マットレスなどを構成するものである。
【００２５】
かかるクッション構成体１は、
（１）複数の長尺のクッション体１０、１０…と、
（２）天板２１と、底板２２と、当該天板２１と底板２２とを連結し合わせる一対の弾性連結片２３、２３とを備え、この天板２１と底板２２と一対の弾性連結片２３、２３との間を前記クッション体１０を通し抜けさせる挿通空間２４とした複数の当該クッション体１０の保持体２０とを有している。
（３）そして、前記複数のクッション体１０、１０…のそれぞれを、隣り合う保持体２０、２０との間に間隔を開けて配された複数の保持体２０、２０…の前記挿通空間２４に通して当該複数の保持体２０、２０…によって保持するようにしてある。
（４）そして、さらに、このように複数の保持体２０、２０…によって保持された各クッション体１０、１０…を並列状態に配することによりクッション構成体１が構成されている。
【００２６】
例えば、ベッドのマットレス２を構成するにあたっては、かかるマットレス２の長さ方向に前記クッション体１０の長さ方向を沿わせるように、前記複数の保持体２０、２０…によってそれぞれ保持された複数のクッション体１０、１０…を並列状態に配することにより、このように配された複数のクッション体１０、１０…によって所定の幅と長さを備えたマットレス２を構成させることができる。（図１２）
【００２７】
あるいはまた、かかるマットレス２の幅方向に前記クッション体１０の長さ方向を沿わせるように、前記複数の保持体２０、２０…によってそれぞれ保持された複数のクッション体１０、１０…を並列状態に配することにより、このように配された複数のクッション体１０、１０…によって所定の幅と長さを備えたマットレス２を構成させることができる。（図１１）
【００２８】
典型的には、このように並列状態に配された複数のクッション体１０、１０…をそれぞれ保持する前記保持体２０の天板２１の上面２１ａをマットレス２等の上面側に配される不織布などの内装材２ａの内面に加熱溶着などして止着すると共に、かかる保持体２０の底板２２の下面２２ａをマットレス２等の下面側に配される不織布などの内装材２ａの内面に加熱溶着などして止着することにより、前記複数のクッション体１０、１０…の並設状態を維持させることができる。（図３）
【００２９】
そして、このように複数のクッション体１０、１０…を間に挟み込んで備えた上下二枚の内装材２ａ、２ａにおける上側の内装材２ａの上面側をキルティングパネルなどの外装材２ｂ（鏡とも称される。）によって覆わせると共に、下側の内装材２ａの下面側をキルティングパネルなどの外装材２ｂによって同じく覆わせ、さらに、かかる上下外装材２ｂ、２ｂの縁部間に亘ってボーダー２ｃ（襠とも称される。）を張り込むことにより、マットレス２を構成させることができる。（図５、図６）（なお、図中、符号２ｄで示されるのは、ボーダー２ｃの縁部と外装材２ｂの縁部とを止着させ合わせるテープ（縁取り布）であり、また、符号２ｅで示されるのは、マットレス２の端側に位置される前記クッション体１０とボーダー２ｃ内面との間に詰め込まれて当該マットレス２の外郭部を保形するウレタンフォーム材である。）なお、かかるボーダー２ｃの一部、典型的には、図６に示されるように、構成されるマットレス２などの向き合った両側部にあるボーダー２ｃ、２ｃをその上下方向のほぼ中央においてスライドファスナー２ｂ’によって接合され合わされる上部と下部とに区分して構成してあっても良く、このように構成した場合には、かかるスライドファスナー２ｂ’の閉じ合わせを解くことにより、マットレス２などに納められたクッション体１０を簡単に取り出すことができ、また、前記上下外装材２ｂ、２ｂ間に当該クッション体１０を容易に納め入れることができる。
【００３０】
この実施の形態にかかるクッション構成体１は、マットレス２などに弾発性を付与させる前記クッション構成体１を複数の長尺のクッション体１０、１０…に区分し、かつ、これらのクッション体１０をそれぞれ前記複数の保持体２０、２０…の挿通空間２４内に通させた状態で当該マットレス２などの内部に配設させて当該マットレス２などを構成させるようにしていることから、当該挿通空間２４によって当該マットレス２などの通気性を高めさせることができる。
【００３１】
また、かかるマットレス２などに荷重が加えられた場合、この荷重が加えられた箇所において前記一対の弾性連結片２３、２３を弾性変形させながら前記天板２１と底板２２間の間隔を狭める前記保持体２０に対して、この保持体２０の挿通空間２４に通されているクッション体１０により当該天板２１と底板２２との間の間隔を広げる向きの弾発力を作用させることができ、当該マットレス２などに適切なクッション性を付与することができる。
【００３２】
また、かかる保持体２０は、天板２１と底板２２とを有することから、前記のように並列された複数の長尺のクッション体１０によってマットレス２などを構成していながら、この天板２１と底板２２とによってマットレス２などの上下面をフラットな状態に保形させることができる。
【００３３】
一旦、前記マットレス２などに荷重が加えられた後、この荷重が作用されなくなった場合、この荷重によって前記一対の弾性連結片２３、２３を弾性変形させて一旦前記天板２１と底板２２間の間隔を狭めさせた前記保持体２０は、当該一対の弾性連結片２３、２３の弾性復帰により当該天板２１と底板２２との間の間隔を当該荷重が加えられる前の間隔とした状態に復帰され、前記マットレス２などの通気性を高める前記挿通空間２４が再び形成される。
【００３４】
また、かかるクッション構成体１は、前記クッション体１０を並列状態に配して構成されていることから、隣り合うクッション体１０の間を折り曲げ部とするようにして、このクッション構成体１から構成されるマットレス２などの一部を折り曲げ起立させるようにすることにも支障がなく、電動ベッドなどのマットレスにも都合良く用いることができる。
【００３５】
前記保持体２０の一対の弾性連結片２３、２３への所用の弾性変形特性の付与は、典型的には、かかる保持体２０を射出成形などによるプラスチック成形品とすることにより確保することができる。
【００３６】
このように保持体２０をプラスチック成形品とし、かつ、前記クッション体１０をゴムやプラスチック材料によって構成するようにしておけば、かかるクッション構成体１によって構成されるマットレス２などを軽量化できると共に、金属を用いないでマットレス２などを構成できることから検針器を用いた検針検査を容易に行うことができる。また、このようにした場合、洗浄、殺菌処理による錆などの問題がなく、病院用のベッドのマットレスや看護用のベッドのマットレスなどを都合良く構成させることができる。
【００３７】
また、前記保持体２０とクッション体１０とを同種のプラスチック材料によって構成するようにしておけば、マットレス２などのリサイクルにあたり、両者を分別する必要がなくなる。
【００３８】
前記クッション体１０としては、プラスチック又はゴムよりなるフォーム材１０ａを棒状に成形したものを用いることができる。（図２）
【００３９】
この場合には、かかるフォーム材１０ａの弾発力によって前記マットレス２などに所用のクッション性を付与することができる。
【００４０】
また、かかるクッション体１０として、エアや水等の流体が送り込まれるゴム又はゴム状弾性を備えたプラスチックよりなるチューブ１０ｂを用いることができる。（図１）
【００４１】
この場合には、かかるチューブ１０ｂに送り込まれる流体の種類を変えることにより、また、当該流体の量を変えることにより、当該チューブ１０ｂの弾発力を調整することができる。
【００４２】
かかる流体としては、エア、水、ゲル（吸水性樹脂を水に混ぜ込んだものなど）などが予定される。
【００４３】
かかる流体としてエアを用いた場合、前記チューブ１０ｂに送り込まれる当該エアにより、エアマットレスに必要とされる量ほどのエアを必要とすることなく、構成されるマットレス２などにエアマットレスなどと同質のクッション性を持たせることができる。また、単純なエアマットレスなどとは異なり、マットレス２に乗った際にそれに伴う振動がマットレス２全体に伝わることがない。
【００４４】
また、かかる流体として水を用いた場合、前記チューブ１０ｂに送り込まれる当該水により、ウォーターマットレスに必要とされる量ほどの水を必要とすることなく、構成されるマットレス２などにウォーターマットレスなどと同質のクッション性を持たせることができる。また、単純なウォーターマットレスなどとは異なり、マットレス２に乗った際にそれに伴う振動がマットレス２全体に伝わることがない。
【００４５】
また、送り込まれる流体の温度を調整することにより、前記マットレス２などを温めたり、冷やしたりすることができる。
【００４６】
かかるクッション体１０をチューブ１０ｂとして構成した場合、前記のように並列状態で配される各クッション体１０、１０…となる各チューブ１０ｂ、１０ｂ…に対して、当該各チューブ１０ｂ、１０ｂ…の一端側において当該チューブ１０ｂの長さ方向に直交する向きに配され、かつ、この各チューブ１０ｂ、１０ｂ…に対して当該一端部においてそれぞれ連通した移送管３０を介して、マットレス２などの外部より前記流体をポンプなどにより送り込むようにして、当該各チューブ１０ｂ、１０ｂ…に前記流体を送り込むことができる。（図１１、図１２）
【００４７】
また、前記のように並列状態で配される各クッション体１０、１０…となる各チューブ１０ｂ、１０ｂ…がそれぞれ、隣り合う一方のチューブ１０ｂの一端部とその一端部とを連通管４０を介して連通させ、かつ、隣り合う他方のチューブ１０ｂの他端部とその他端部とを連通管４０を介して連通させるようにすると共に、このように連通させ合わされた各チューブ１０ｂ、１０ｂ…における最前列に位置されるチューブ１０ｂに対して連通状態に流入管５０を接続し、かつ、当該各チューブ１０ｂ、１０ｂ…における最後列に位置されるチューブ１０ｂに対して連通状態に流出管６０を接続し、マットレス２の外部よりこの流入管５０と流出管６０を介して前記流体を熱交換装置によって加温あるいは冷却させながら循環ポンプなどによって循環させるようにして、当該各チューブ１０ｂ、１０ｂ…に前記流体を送り込むこともできる。（図１４）
【００４８】
また、前記のように並列状態で配される各クッション体１０、１０…となる各チューブ１０ｂ、１０ｂ…の一部に連通状態で接続される移送管３０と、かかる各チューブ１０ｂ、１０ｂ…の残りの一部に連通状態で接続される移送管３０とをそれぞれ設け、この二つの移送管３０を介してマットレス２の外部より前記各チューブ１０ｂ、１０ｂ…の一部と当該各チューブ１０ｂ、１０ｂ…の残りの一部とに別段にポンプなどにより前記流体が送り込まれるようにすることもできる。（図１３）
【００４９】
この場合には、前記各チューブ１０ｂ、１０ｂ…の一部に送り込まれる流体の量と前記各チューブ１０ｂ、１０ｂ…の残りの一部に送り込まれる流体の量とを変えることにより、あるいはまた、前記各チューブ１０ｂ、１０ｂ…の一部に送り込まれる流体の種類と前記各チューブ１０ｂ、１０ｂ…の残りの一部に送り込まれる流体の種類とを変えることにより、前記マットレス２などのクッション性を当該マットレス２などの必要な位置において他の位置と異ならせるようにすることができ、床ずれなどの防止効果をマットレス２などに持たせることができる。
【００５０】
また、前記チューブ１０ｂに送り込まれる流体の量を、前記移送管３０などを介して当該チューブ１０ｂに当該流体を送り込む前記ポンプなどを制御して必要に応じて変えることにより、使用者の体重などに応じて構成されるマットレス２の硬さを事後的に調整することもできる。
【００５１】
また、この実施の形態にあっては、前記のように並設される複数のクッション体１０、１０…がそれぞれ、隣合うクッション体１０の一方を保持している複数の保持体２０、２０…における隣り合う保持体２０間の空間の側方に、隣り合うクッション体１０の他方を保持している各保持体２０がそれぞれ配されるようにして、配されている。（図１）具体的には、この実施の形態にあっては、後述するように前記保持体２０の弾性連結片２３が前記挿通空間２４の側を湾曲内側とするように湾曲されており、平面視の状態において前記天板２１および底板２２の外周縁よりも外方に当該弾性連結片２３を大きく張り出させていることから、隣合うクッション体１０の一方を保持している複数の保持体２０、２０…における弾性連結片２３間に、隣り合うクッション体１０の他方を保持している各保持体２０の弾性連結片２３が納まるようにして、かかる複数のクッション体１０、１０…を配させている。特に、この実施の形態にあっては、一つのクッション体１０を挟んだ両側のクッション体１０の一方を保持する保持体２０の弾性連結片２３の湾曲頂端２３ａと、当該両側のクッション体１０の他方を保持する保持体２０の弾性連結片２３の湾曲頂端２３ａとの間の間隔が、かかるクッション体１０の太さに近い間隔となるようにしてあり、一つのクッション体１０における隣り合う保持体２０間の空間において、この両側のクッション体１０の一方の保持体２０の弾性連結片２３と当該両側のクッション体１０の他方の保持体２０の弾性連結片２３とにより、当該一つのクッション体１０のズレを防止するようにしてある。
【００５２】
これにより、この実施の形態にあっては、前記のように並設される複数のクッション体１０、１０…を保持する複数の保持体２０、２０…における天板２１および底板２２間の隙間をできる限り小さくすることができ、構成されるマットレス２などの上面および下面を前記天板２１および底板２２によって適切に支持することができる。
【００５３】
かかる保持体２０は、この実施の形態にあっては、
（１）円板状をなす天板２１と底板２２とを備えている。かかる天板２１と底板２２とはほぼ同寸、同形に構成されている。
【００５４】
（２）天板２１の下面ほぼ中央と、底板２２の下面２２ａほぼ中央とには、突出部２５が設けてある。
【００５５】
（３）前記挿通空間２４の側を湾曲内側とするように湾曲された帯板状をなす一対の弾性連結片２３、２３を有している。かかる一対の弾性連結片２３、２３はそれぞれ、一端を前記天板２１側に設けられた突出部２５の基部側に一体に連接させ、かつ、他端を前記底板２２側に設けられた突出部２５の基部側に一体に連接させている。また、かかる一対の弾性連結片２３、２３は保持体２０の天板２１および底板２２の板面が広がる向きと同じ向きに帯板状をなすその広い板面を位置づけさせるように形成されている。
【００５６】
（４）かかる保持体２０の内側に、当該保持体２０の挿通空間２４に通されたクッション体１０の上側に接する上側補助保持板２６と、当該クッション体１０の下側に接する下側補助保持板２７とが備えられている。この実施の形態にあっては、両補助保持板２６、２７はそれぞれ、前記弾性連結片２３とほぼ同じ幅を有する長板状をなすように構成され、また、その板面を保持体２０の上下方向にほぼ交叉する向きに配するように形成されている。また、上側補助保持板２６はその長さ方向ほぼ中程の位置において前記天板２１側の突出部２５の突き出し端にその上面を一体に連接させており、また、下側補助保持板２７はその長さ方向ほぼ中程の位置において前記底板２２側の突出部２５の突き出し端にその下面を一体に連接させている。また、両補助保持板２６、２７はいずれも、その長さ方向に沿った両側縁を、保持体２０を平面視した状態において、前記弾性連結片２３の長さ方向に沿った縁より外方にはみ出させないようにした状態で、当該弾性連結片２３の内面との間に間隔を空けて、当該弾性連結片２３の内面に沿うように設けられている。
【００５７】
（５）そして、この実施の形態にあっては、このように形成される前記両補助保持板２６、２７がそれぞれ、前記突出部２５に連接された位置からその端部側に向かうに連れて次第に保持体２０の内方に近付く向きに湾曲された構成とされており、かかる両補助保持板２６、２７間の間隔が前記弾性連結片２３の側、この実施の形態にあっては当該弾性連結片２３の湾曲頂端２３ａに近付くに連れて次第に狭くなるように構成してある。
【００５８】
この結果、この実施の形態にあっては、かかる両補助保持板２６、２７間に通された前記クッション体１０を当該両補助保持板２６、２７の端部側、つまり、前記一対の弾性連結片２３、２３のいずれか一方の内面側に近付く向きに移動させ難い状態で、当該両補助保持板２６、２７間において保持させることができる。
【００５９】
この実施の形態にあっては、かかる保持体２０を一体成形されたプラスチック成形品としており、前記両補助保持板２６、２７もそれぞれ弾性変形特性を持つように構成されている。これにより、この実施の形態にあっては、構成されるマットレス２などに荷重が作用された場合、かかる両補助保持板２６、２７の間に通されたクッション体１０を、両補助保持板２６、２７をそれぞれその湾曲を解く向きに弾性変形させながら当該両補助保持板２６、２７によって押し潰すようにように変形させるものとされ、（図８）この両補助保持板２６、２７および前記一対の弾性連結片２３、２３の弾発力をも構成されるマットレス２などのクッション性に活用させるようにしてある。
【００６０】
かかる保持体２０の両補助保持板２６、２７は、その両補助保持板２６、２７間の間隔を前記弾性連結片２３の内面側に近付くに連れて狭めるように構成されたものであれば、例えば、図９に示されるように、その端部をそれぞれ、当該弾性連結片２３の内面に連接させるようにして、保持体２０の内側に備えさせるようにしてあっても良い。この図９に示されるように保持体２０を構成した場合、構成されるマットレス２などに荷重が作用された場合、かかる両補助保持板２６、２７の長さ方向ほぼ中程の位置を弾性連結片２３の内面に密着させる位置まで当該両補助保持板２６、２７を変形させることが可能とされ、こうした荷重が作用された場合の保持体２０の上下方向における変形量をより大きくすることができる。（図１０）
【００６１】
【発明の効果】
この発明にかかるクッション構成体によれば、金属製のスプリングを用いることなく、構成されるマットレスなどの通気性を適切に確保することができる。
【００６２】
また、請求項４記載のクッション構成体によれば、構成されるマットレスなどの硬さ、つまり、クッション性を必要に応じて調整できると共に、当該マットレスなどの通気性を適切に確保することができる。
【図面の簡単な説明】
【図１】クッション構成体１の要部斜視構成図
【図２】図１に示されるクッション構成体１におけるクッション体１０と異なる構成を備えたクッション体１０によって構成されたクッション構成体１の要部斜視構成図
【図３】クッション構成体１を二枚の内装材２ａ、２ａ間に配した状態を示す斜視構成図
【図４】同側面構成図
【図５】マットレス２の構成例を示す断面図
【図６】マットレス２の構成例を図５と異なる向きから示す断面図
【図７】保持体２０の斜視構成図
【図８】保持体２０に荷重が作用された場合の側面構成図
【図９】図７に示される保持体２０と構成の一部を異ならせた保持体２０の斜視構成図
【図１０】図９に示される保持体２０に荷重が作用された場合の側面構成図
【図１１】マットレス２の構成例を示す平面構成図
【図１２】マットレス２の構成例を示す平面構成図
【図１３】マットレス２の構成例を示す平面構成図
【図１４】マットレス２の構成例を示す平面構成図
【符号の説明】
１  クッション構成体
２  マットレス
１０  クッション体
２０  保持体
２１  天板
２２  底板
２３  弾性連結片
２４  挿通空間
【図１】
0004616460.tif 000002
【図２】
0004616460.tif 000003
【図３】
0004616460.tif 000004
【図４】
0004616460.tif 000005
【図５】
0004616460.tif 000006
【図６】
0004616460.tif 000007
【図７】
0004616460.tif 000008
【図８】
0004616460.tif 000009
【図９】
0004616460.tif 000010
【図１０】
0004616460.tif 000011
【図１１】
0004616460.tif 000012
【図１２】
0004616460.tif 000013
【図１３】
0004616460.tif 000014
【図１４】
0004616460.tif 000015